(57)【要約】  ユーザ装置とネットワーク装置との間で無線通信システムの共有物理リソースで無線接続及びその後の通信を開始する方法、ユーザ装置、ネットワーク装置及びシステムは、UEにより導かれた一時識別子を処理し、識別子として一時識別子をネットワーク装置に通信し、一時識別子と共有チャネルでのスケジューリングされたリソースの記述とを伝達する下りリンクメッセージを通信し、スケジューリングされたリソースは、ネットワーク装置によりユーザ装置に割り当てられたリソースを有し、下りリンクメッセージに応じてスケジューリングされたリソースでデータを通信することを有する。
2009522889.tif 000002
【特許請求の範囲】
【請求項１】
ユーザ装置とネットワーク装置との間で無線通信システムの共有物理リソースで無線接続及びその後の通信を開始する方法であって、
ユーザ装置により、
一時識別子として自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信することを有する方法。
【請求項２】
前記一時識別子を導くことは、ネットワークに既知のUE識別子の一部から前記一時識別子を形成することを有する、請求項１に記載の方法。
【請求項３】
前記ネットワークに既知のUE識別子は、TMSI（temporary  mobile  subscriber  identity）を有する、請求項２に記載の方法。
【請求項４】
前記ネットワークに既知のUE識別子は、IMSI（international  mobile  subscriber  identity）を有する、請求項２に記載の方法。
【請求項５】
前記ネットワークに既知のUE識別子は、IMEI（international  mobile  equipment  identity）を有する、請求項２に記載の方法。
【請求項６】
前記一時識別子を導くことは、複数の一時識別子から前記一時識別子を選択することを有する、請求項１に記載の方法。
【請求項７】
前記一時識別子を導くことは、時間パラメータに基づいて前記一時識別子を導くこと有する、請求項１に記載の方法。
【請求項８】
前記複数の一時識別子は、テーブルを有する、請求項６に記載の方法。
【請求項９】
前記ネットワーク装置から前記複数の一時識別子の指示を受信することを更に有する、請求項６に記載の方法。
【請求項１０】
前記受信した指示は、ブロードキャストチャネル（BCH）で前記指示を受信することを有する、請求項９に記載の方法。
【請求項１１】
前記複数の一時識別子を不揮発性メモリに保存することを更に有する、請求項６に記載の方法。
【請求項１２】
前記一時識別子を前記ネットワーク装置に送信することは、前記一時識別子と前記スケジューリングされたリソースの要求とを有する第１の上りリンクメッセージ内で前記一時識別子を送信することを有する、請求項１に記載の方法。
【請求項１３】
前記スケジューリングされたリソースは、上りリンクのスケジューリングされたリソースを有する、請求項１２に記載の方法。
【請求項１４】
前記スケジューリングされたリソースは、下りリンクのスケジューリングされたリソースを有する、請求項１２に記載の方法。
【請求項１５】
前記一時識別子を送信することは、第１の上りリンクメッセージを送信することを有し、
前記下りリンクメッセージを受信することは、第１の下りリンクメッセージを受信することを有し、
前記スケジューリングされたリソースで前記データを通信することは、第２の上りリンクメッセージで接続要求を送信することを有する、請求項１に記載の方法。
【請求項１６】
前記第２の上りリンクメッセージに応じて送信された第２の下りリンクメッセージを受信し、前記第２の下りリンクメッセージは、前記一時識別子と共有下りリンクチャネルでのスケジューリングされた下りリンクリソースの記述とを伝達し、前記スケジューリングされた下りリンクリソースは、前記ネットワーク装置により前記ユーザ装置に割り当てられた下りリンクリソースを有し、
前記スケジューリングされた下りリンクリソースで第３の下りリンクメッセージを受信し、前記第３の下りリンクメッセージは、接続設定メッセージを有する、請求項１５に記載の方法。
【請求項１７】
前記一時識別子を送信することは、第１の上りリンクメッセージを送信することを有し、
前記方法は、
前記第１の上りリンクメッセージを送信した後、且つ前記下りリンクメッセージを受信する前にタイムアウトし、
異なる一時識別子を選択し、
前記一時識別子の代わりに前記異なる一時識別子を有する前記第１の上りリンクメッセージを再送信することを更に有する、請求項１に記載の方法。
【請求項１８】
前記一時識別子を送信することは、RRC接続要求を有する第１の上りリンクメッセージで前記一時識別子を送信することを有する、請求項１に記載の方法。
【請求項１９】
前記一時識別子を送信することは、第１の上りリンクメッセージで前記一時識別子を送信することを有し、
前記方法は、RRC接続要求を有する第２の上りリンクメッセージを送信することを更に有し、前記第２の上りリンクメッセージは、前記第１の上りリンクメッセージと異なる、請求項１に記載の方法。
【請求項２０】
前記データを通信することは、RRC接続要求メッセージを有する、請求項１に記載の方法。
【請求項２１】
RRC接続要求を送信し、
RRC接続設定メッセージを受信することを更に有する、請求項１に記載の方法。
【請求項２２】
前記ネットワーク装置から置換識別子を受信し、
前記一時識別子の代わりに前記置換識別子を使用することを更に有する、請求項１に記載の方法。
【請求項２３】
ネットワークに既知のUE識別子を前記要求に組み込むことを更に有する、請求項１に記載の方法。
【請求項２４】
前記ネットワークに既知のUE識別子は、TMSI（temporary  mobile  subscriber  identity）を有する、請求項２３に記載の方法。
【請求項２５】
前記ネットワークに既知のUE識別子は、IMSI（international  mobile  subscriber  identity）を有する、請求項２３に記載の方法。
【請求項２６】
前記ネットワークに既知のUE識別子は、IMEI（international  mobile  equipment  identity）を有する、請求項２３に記載の方法。
【請求項２７】
前記組み込むことは、前記ネットワークに既知のUE識別子をパラメータとして前記要求に含めることを有する、請求項２３に記載の方法。
【請求項２８】
前記組み込むことは、前記ネットワークに既知のUE識別子を使用して巡回冗長検査（CRC）値を計算することを有する、請求項２３に記載の方法。
【請求項２９】
ネットワークに既知のUE識別子を使用して前記ネットワーク装置からのメッセージをデコードすることを更に有する、請求項１に記載の方法。
【請求項３０】
前記無線通信システムは、E-UTRAN（evolved  UMTS  Terrestrial  Radio  Access  Network）を有する、請求項１に記載の方法。
【請求項３１】
ユーザ装置とネットワーク装置との間で無線通信システムの共有物理リソースで無線接続及びその後の通信を開始する際に使用されるユーザ装置であって、
メモリと、
前記メモリに結合されたプロセッサと、
前記プロセッサで実行可能なプログラムコードと
を有し、
前記プログラムコードは、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するように動作可能であるユーザ装置。
【請求項３２】
前記一時識別子を導くことは、ネットワークに既知のUE識別子の一部から前記一時識別子を形成することを有する、請求項３１に記載のユーザ装置。
【請求項３３】
前記一時識別子を導くことは、複数の一時識別子から前記一時識別子を選択することを有する、請求項３１に記載のユーザ装置。
【請求項３４】
前記プログラムコードは、前記ネットワーク装置から前記複数の一時識別子の指示を受信するように更に動作可能である、請求項３３に記載のユーザ装置。
【請求項３５】
前記プログラムコードは、前記複数の一時識別子を不揮発性メモリに保存するように更に動作可能である、請求項３３に記載のユーザ装置。
【請求項３６】
前記一時識別子を前記ネットワーク装置に送信することは、前記一時識別子と前記スケジューリングされたリソースの要求とを有する第１の上りリンクメッセージ内で前記一時識別子を送信することを有する、請求項３１に記載のユーザ装置。
【請求項３７】
前記一時識別子を送信することは、第１の上りリンクメッセージを送信することを有し、
前記下りリンクメッセージを受信することは、第１の下りリンクメッセージを受信することを有し、
前記スケジューリングされたリソースで前記データを通信することは、第２の上りリンクメッセージで接続要求を送信することを有する、請求項３１に記載のユーザ装置。
【請求項３８】
前記第２の上りリンクメッセージに応じて送信された第２の下りリンクメッセージを受信し、前記第２の下りリンクメッセージは、前記一時識別子と共有下りリンクチャネルでのスケジューリングされた下りリンクリソースの記述とを伝達し、前記スケジューリングされた下りリンクリソースは、前記ネットワーク装置により前記ユーザ装置に割り当てられた下りリンクリソースを有し、
前記スケジューリングされた下りリンクリソースで第３の下りリンクメッセージを受信し、前記第３の下りリンクメッセージは、接続設定メッセージを有する、請求項３７に記載のユーザ装置。
【請求項３９】
前記一時識別子を送信することは、第１の上りリンクメッセージを送信することを有し、
前記プログラムコードは、
前記第１の上りリンクメッセージを送信した後、且つ前記下りリンクメッセージを受信する前にタイムアウトし、
異なる一時識別子を選択し、
前記一時識別子の代わりに前記異なる一時識別子を有する前記第１の上りリンクメッセージを再送信するように更に動作可能である、請求項３１に記載のユーザ装置。
【請求項４０】
ユーザ装置とネットワーク装置との間で無線通信システムの共有物理リソースで無線接続及びその後の通信を開始する際に使用されるネットワーク装置であって、
メモリと、
前記メモリに結合されたプロセッサと、
前記プロセッサで実行可能なプログラムコードと
を有し、
前記プログラムコードは、
前記ユーザ装置により導かれた一時識別子を受信し、前記ユーザ装置の自分のシグナリングアドレスが前記一時識別子として使用され、
前記ユーザ装置にスケジューリングされたリソースを割り当て、前記スケジューリングされたリソースは、共有チャネルのリソースを有し、
前記一時識別子と前記スケジューリングされたリソースの記述とを伝達する下りリンクメッセージを送信し、
前記下りリンクメッセージに応じて前記スケジューリングされたリソースでデータを通信するように動作可能であるネットワーク装置。
【請求項４１】
前記プログラムコードは、前記ユーザ装置に複数の一時識別子の指示を送信するように更に動作可能である、請求項４０に記載のネットワーク装置。
【請求項４２】
前記指示を送信することは、ブロードキャストチャネル（BCH）で前記指示を送信することを有する、請求項４１に記載のネットワーク装置。
【請求項４３】
前記ユーザ装置から前記一時識別子を受信することは、前記一時識別子と前記スケジューリングされたリソースの要求とを有する第１の上りリンクメッセージ内で前記一時識別子を受信することを有する、請求項４０に記載のネットワーク装置。
【請求項４４】
前記一時識別子を受信することは、第１の上りリンクメッセージを受信することを有し、
前記下りリンクメッセージを送信することは、第１の下りリンクメッセージを送信することを有し、
前記スケジューリングされたリソースで前記データを通信することは、第２の上りリンクメッセージで接続要求を送信することを有する、請求項４０に記載のネットワーク装置。
【請求項４５】
前記プログラムコードは、
スケジューリングされた下りリンクリソースを前記ユーザ装置に割り当て、前記スケジューリングされた下りリンクリソースは共有チャネルのリソースを有し、
前記第２の上りリンクメッセージに応じて送信された第２の下りリンクメッセージを送信し、前記第２の下りリンクメッセージは、前記一時識別子と前記スケジューリングされた下りリンクの記述とを伝達し、
前記スケジューリングされた下りリンクリソースで第３の下りリンクメッセージを送信し、前記第３の下りリンクメッセージは、接続設定メッセージを有するように更に動作可能である、請求項４０に記載のネットワーク装置。
【請求項４６】
前記プログラムコードは、
複数の識別子から置換識別子を割り当て、
前記ユーザ装置に前記置換識別子を送信するように更に動作可能である、請求項４０に記載のネットワーク装置。
【請求項４７】
前記プログラムコードは、
ネットワークに既知のUE識別子をメッセージに組み込み、
前記メッセージを前記ユーザ装置に送信するように更に動作可能である、請求項４０に記載のネットワーク装置。
【請求項４８】
前記組み込むことは、前記ネットワークに既知のUE識別子を使用して巡回冗長検査（CRC）値を計算することを有する、請求項４７に記載のネットワーク装置。
【請求項４９】
ユーザ装置とネットワーク装置との間で無線通信システムの共有物理リソースで無線接続及びその後の通信を開始するプログラムコードを有するコンピュータプログラムプロダクトであって、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するプログラムコードを有するコンピュータプログラムプロダクト。
【請求項５０】
前記一時識別子を導くことは、ネットワークに既知のUE識別子の一部から前記一時識別子を形成することを有する、請求項４９に記載のコンピュータプログラムプロダクト。
【請求項５１】
前記一時識別子を導くことは、複数の一時識別子から前記一時識別子を選択することを有する、請求項４９に記載のコンピュータプログラムプロダクト。
【請求項５２】
前記プログラムコードは、前記ネットワーク装置から前記複数の一時識別子の指示を受信するように更に動作可能である、請求項５１に記載のコンピュータプログラムプロダクト。
【請求項５３】
前記プログラムコードは、前記複数の一時識別子を不揮発性メモリに保存するように更に動作可能である、請求項５１に記載のコンピュータプログラムプロダクト。
【請求項５４】
前記一時識別子を前記ネットワーク装置に送信することは、前記一時識別子と前記スケジューリングされたリソースの要求とを有する第１の上りリンクメッセージ内で前記一時識別子を送信することを有する、請求項４９に記載のコンピュータプログラムプロダクト。
【請求項５５】
前記一時識別子を送信することは、第１の上りリンクメッセージを送信することを有し、
前記下りリンクメッセージを受信することは、第１の下りリンクメッセージを受信することを有し、
前記スケジューリングされたリソースで前記データを通信することは、第２の上りリンクメッセージで接続要求を送信することを有する、請求項４９に記載のコンピュータプログラムプロダクト。
【請求項５６】
前記プログラムコードは、
前記第２の上りリンクメッセージに応じて送信された第２の下りリンクメッセージを受信し、前記第２の下りリンクメッセージは、前記一時識別子と共有下りリンクチャネルでのスケジューリングされた下りリンクリソースの記述とを伝達し、前記スケジューリングされた下りリンクリソースは、前記ネットワーク装置により前記ユーザ装置に割り当てられた下りリンクリソースを有し、
前記スケジューリングされた下りリンクリソースで第３の下りリンクメッセージを受信し、前記第３の下りリンクメッセージは、接続設定メッセージを有するように更に動作可能である、請求項５５に記載のコンピュータプログラムプロダクト。
【請求項５７】
前記一時識別子を送信することは、第１の上りリンクメッセージを送信することを有し、
前記プログラムコードは、
前記第１の上りリンクメッセージを送信した後、且つ前記下りリンクメッセージを受信する前にタイムアウトし、
異なる一時識別子を選択し、
前記一時識別子の代わりに前記異なる一時識別子を有する前記第１の上りリンクメッセージを再送信するように更に動作可能である、請求項４９に記載のコンピュータプログラムプロダクト。
【請求項５８】
共有物理リソースで無線接続及びその後の通信を開始する無線ネットワークシステムであって、
１つ以上のユーザ装置とネットワーク装置とを有し、
各ユーザ装置は、
ユーザ装置メモリと、
前記ユーザ装置メモリに結合されたユーザ装置プロセッサと、
前記ユーザ装置プロセッサで実行可能なユーザ装置プログラムコードと
を有し、
前記ユーザ装置プログラムコードは、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するように動作可能であり、
前記ネットワーク装置は、
ネットワーク装置メモリと、
前記ネットワーク装置メモリに結合されたネットワーク装置プロセッサと、
前記ネットワーク装置プロセッサで実行可能なネットワーク装置プログラムコードと
を有し、
前記ネットワーク装置プログラムコードは、
前記ユーザ装置により導かれた一時識別子を受信し、
前記ユーザ装置にスケジューリングされたリソースを割り当て、前記スケジューリングされたリソースは、共有チャネルのリソースを有し、
前記一時識別子と前記スケジューリングされたリソースの記述とを伝達する前記下りリンクメッセージを送信し、
前記下りリンクメッセージに応じて前記スケジューリングされたリソースでデータを通信するように動作可能である無線ネットワークシステム。
【発明の詳細な説明】
【技術分野】
【０００１】
本発明は、概して無線通信技術に関し、特に無線通信システムにおけるユーザ装置とネットワーク装置との間の初期の接続手順に関する。
【背景技術】
【０００２】
無線通信システムでは、移動局（ユーザ装置（UE：user  equipment）、ユーザ端末、移動端末、無線データ端末及びセルラ電話とも呼ばれる）と無線アクセスネットワークとの間で論理接続を行う必要がある。無線アクセスネットワークは、１つ以上の無線ネットワークコントローラ（RNC：radio  network  controller）と共に、１つ以上の基地局（例えば3GPPの用語ではNode  Bとも呼ばれる）を有してもよい。論理接続は、通信に関与するつもりのないシステムのネットワークエレメント又はUEにデータを誤って通信することなく、データが伝達され得るUE通信リンクへの特定のネットワークのコンテキスト（context）を提供する。
【０００３】
3GPPにより規定された無線アクセスネットワークシステムでは、ユーザ端末と無線アクセスネットワークとの間の論理接続は、RRC（radio  resource  control）接続状態により規定される。２つの主なRRC接続状態は、RRC接続及びRRCアイドルとして規定される。
【０００４】
ユーザ端末と無線アクセスネットワークとの間に論理接続が存在する場合、ユーザ端末はRRC接続状態であると言われる。RRC接続状態のユーザ端末の存在は、セル又は複数のセル内で決定され得る。従って、特定のユーザ端末の無線リソースは、無線ネットワークにより効率的に管理され得る。RRC接続状態に対して、RRCアイドル状態のユーザ端末は無線アクセスネットワークへの論理接続を有さない。従って、RRCアイドル状態のユーザ端末は、セルより大きいコアネットワーク又はエリア（位置エリア又はルーティングエリア等）内でのみ決定され得る。
【０００５】
ユーザ端末が最初にユーザにより電源が入れられると、PLMN（public  land  mobile  network）が選択され、ユーザ端末は、キャンプする適切なセル（suitable  cell  to  be  camped  on  to）を検索し、対応するセルでRRCアイドル状態に留まる。初期のRRC接続は、ネットワーク又はユーザ装置により開始され得る。例えば、RRCアイドル状態のUEのときのUEにより開始された接続の場合、UEは、ネットワークへの初期の接続を要求し、RRC接続要求メッセージをネットワークに送信する。更なる例を用いて、ネットワークにより開始された接続の場合、RRC接続要求メッセージはまた、ネットワーク（RRC接続手順の開始を確かめるためにUEにページングメッセージを送信したネットワーク）からのページングメッセージの受信に応じてUEにより送信され得る。
【０００６】
従って、UEによるRRC接続要求には複数の理由が存在する。例えば、(1)初期のセルアクセス：UEが発呼を行おうとするときにUEはRRC接続を確立する必要がある。(2)ページング応答：ページングメッセージに応答メッセージを送信する場合である。(3)セル更新：UEがアイドルモード中に適切なセルを選択する場合である。(4)UTRANルーティングエリア（URA：UTRAN  Routing  Area）更新：UEがアイドルモード中に適切なURAを選択する場合である。(5)MBMS（Multimedia  Broadcast  and  Multicast）サービスを受信してMBMSポイントツーポイント接続を要求するためのMBMS接続である。
【０００７】
通常のRRC接続手順では、ユーザ端末は、共通上りリンクトランスポートチャネルを使用してRRC接続要求メッセージをネットワークに送信することにより、接続手順を開始する。共通上りリンクトランスポートチャネルは、複数のUEにより共有されており、スケジューリングされないデータ送信に使用される。
【０００８】
ネットワークは接続要求を検討し、（許可の成功の場合）RRC接続設定メッセージ又は（許可の失敗の場合）RRC接続拒否メッセージを下りリンクで返信し得る。双方の場合に、メッセージは、（上りリンク共通チャネルと同様に）複数のUEにより共有され、スケジューリングされないデータ送信に使用される共通下りリンクトランスポートチャネルを使用して送信される。
【０００９】
この初期のRRC接続段階中にユーザ端末からネットワークへのメッセージが送信される共通トランスポートチャネルは、ランダムアクセスチャネルと呼ばれる。ランダムアクセス送信は、送信の明示的なスケジューリング又は調整が実行されないため、同様にスケジューリングされない送信とも呼ばれることがある。この明示的な調整がないため、１つの移動体が他のユーザと同じ上りリンク送信リソース又は上りリンク識別情報を使用して送信する可能性が存在する。この例では、双方の送信の通信信頼度は、上りリンクメッセージが受信側基地局で生成するときの相互の論理的又は実際の干渉のため損なわれることがある。１つより多くの移動体が所定の一式の上りリンクリソースで送信するこれらの場合は、衝突と呼ばれることがある。
【００１０】
衝突、スケジューリングされないアクセス及びスケジューリングされるアクセスの更なる詳細は、発明者Nicholas  W.  ANDERSONにより“FREQUENCY  DOMAIN  UNSCHEDULED  TRANSMISSION  IN  A  TDD  WIRELESS  COMMUNICATIONS  SYSTEM”という題名で2005年10月31日に出願された米国特許出願第11/263,044号に見出され得る。この内容が参照として取り込まれる。
【００１１】
ネットワークからユーザ端末に対応するメッセージを伝達する共通下りリンクトランスポートチャネルは、フォワードアクセスチャネル（FACH：forward  access  channel）と呼ばれる。
【発明の開示】
【発明が解決しようとする課題】
【００１２】
典型的には、システムリソースは、これらの上りリンク及び下りリンク共通トランスポートチャネルについて確保される。典型的には、共通チャネルに使用される無線リソースは、他のトランスポートチャネルに使用される無線リソースと分離される。他の種類のトランスポートチャネルの例は、個別トランスポートチャネルと共有トランスポートチャネルとを含む。個別トランスポートチャネルの場合、データは、長期に特定のユーザ又は接続に割り当てられた全無線リソースの一部にマッピングされる。逆に共有チャネルの場合、各ユーザのデータは、典型的にはネットワークのMACレイヤ（レイヤ2）にあるリソーススケジューラの制御で、一式の全無線リソース内に割り当てられた無線リソースのプールの一部に動的にマッピングされる。従って、この場合の無線リソースは、ユーザ間で共有され、スケジューラにより仲裁される。これは、ユーザが無線リソースを共有するがスケジューリングされない方法で共有する共通チャネルの場合と対照的である。
【００１３】
共有チャネルの使用は、それぞれ特定のトラヒック形式に割り当てられるシステム内での複数のチャネル形式（共通、共有及び個別の形式の組み合わせ等）の使用に比べて、システム容量のみについて利点を提供し得る。この理由は、全てのトラヒック形式を共有チャネルのみに多重することにより、スケジューラは、各トラヒック形式により提示される変化する瞬時負荷に割り当てられたリソースを動的に適合することができるからである。これに対して、例えば１つのトラヒック形式を共通チャネルに排他的に割り当て、他のトラヒック形式を共有チャネルに排他的に割り当てる場合、各トラヒック形式により与えられるトラヒック負荷の変化は、最初に共通チャネルに割り当てられて次に共有チャネルに割り当てられた全無線リソース空間の各部分を再構成せずに、適応不可能である。典型的には、この無線リソースの再構成は低速の処理であり、従って、システムは負荷の高速の変化に対応できない。この結果、現在のシステムでは、共通チャネルに割り当てられた全無線リソース空間の一部は、しばしば最悪の場合を考慮して設計されなければならず、従って、無線リソース使用効率が次善になる。
【００１４】
通常のRRC接続確立手順に続いて、UEの存在はネットワークに認識され、接続確立手順の完了時にのみ、共有チャネルアドレス又はUE  IDがネットワークにより割り当てられ得る。従って、共有チャネルは、通常のRRC接続手順が共通チャネル手順を使用して実現された後にのみ使用され得る。従って、接続確立トラヒックを伝達するために、全無線リソース空間のかなりの部分が共通チャネルに予め割り当てられなければならない。共有チャネル動作に使用されるユーザ端末特有のレイヤ2接続コンテキスト（layer  2  connection  context）は、RRC接続手順の完了時にのみ確立され得る。
【００１５】
更に、既知の無線通信システムは、共有チャネル動作の初期のレイヤ2コンテキストを確立するために、かなりの量の時間を費やし、非共有及び共通チャネルで複数のシグナリングメッセージを交換する。これは、通信遅延の一因となり得る。更に、複数のチャネル形式と、関連するプロトコル、手順及び属性との存在は、システム実装の複雑性をかなり増加させ得る。
【００１６】
前述の理由で、無線リソース使用効率を改善し、通信遅延を低減し、システム実装の複雑性を簡略化するために、初期のシステムアクセス及びRRC接続手順への改善が望まれる。
【課題を解決するための手段】
【００１７】
本発明の或る実施例は、ネットワークがUEにより導かれた一時識別子をネットワークにより選択された識別子と置換することを決定するまで、UEが一時識別子として自分のレイヤ2アドレスを導くことを可能にすることにより、レイヤ2の共有チャネルコンテキストの迅速な確立を提供する。このことにより、システムは、接続確立の非常に早い段階で共通チャネルの代わりに共有チャネルを利用することが可能になり、従って、共通チャネルで伝達されるトラヒック量を最小化する。
【００１８】
更に、本発明の或る実施例は、ユーザ装置とネットワーク装置との間で無線通信システムの共有物理リソースで無線接続及びその後の通信を開始する方法、装置（ユーザ装置又はネットワーク装置等）、コンピュータプログラムプロダクト又はシステムを提供し、UEにより導かれた一時識別子を処理し、一時識別子をネットワーク装置に通信し、一時識別子と共有チャネルでのスケジューリングされたリソースの記述とを伝達する下りリンクメッセージを通信し、スケジューリングされたリソースは、ネットワーク装置によりユーザ装置に割り当てられたリソースを有し、下りリンクメッセージに応じてスケジューリングされたリソースでデータを通信することを有する。
【００１９】
本発明の或る実施例は、ネットワークに既知のUE識別子の一部（TMSI（temporary  mobile  subscriber  identity）、IMSI（international  mobile  subscriber  identity）、IMSI（international  mobile  subscriber  identity）又はIMEI（international  mobile  equipment  identity）等）から一時識別子を形成することを提供する。本発明の或る実施例は、複数の一時識別子から一時識別子を選択することを提供する。本発明の或る実施例は、時間パラメータに基づいて一時識別子を導くことを提供する。本発明の或る実施例は、例えばブロードキャストチャネル（BCH：broadcast  channel）を介して、ネットワーク装置からUEに複数の一時識別子の指示を通信することを提供する。本発明の或る実施例は、複数の一時識別子を不揮発性メモリに保存することを提供する。
【００２０】
本発明の或る実施例は、一時識別子を有する第１の上りリンクメッセージ内で一時識別子をネットワーク装置に通信し、例えば上りリンク又は下りリンクのスケジューリングされたリソースの要求を通信し、UEとネットワークとの間のその後の通信で一時識別子を通信することを提供する。
【００２１】
本発明の或る実施例は、第１の上りリンクメッセージを送信した後、且つ下りリンクメッセージを受信する前にタイムアウトし、異なる一時識別子を選択し、元々選択された一時識別子の代わりに異なる一時識別子を有する第１の上りリンクメッセージを再送信することを提供する。
【００２２】
本発明の或る実施例は、共有チャネルでRRC接続シグナリングの通信を提供する。
【００２３】
本発明の或る実施例は、ネットワーク装置から置換識別子を通信し、共有チャネルリソースでユーザ装置を識別するために、一時識別子の代わりに置換識別子を使用することを提供する。
【００２４】
本発明の或る実施例は、ネットワークに既知のUE識別子（TMSI（temporary  mobile  subscriber  identity）、IMSI（international  mobile  subscriber  identity）又はIMEI（international  mobile  equipment  identity））を要求に組み込み、エンコードし、又はデコードすることを提供する。本発明の或る実施例は、ネットワークに既知のUE識別子をパラメータとして要求に含めることを提供する。本発明の或る実施例は、ネットワークに既知のUE識別子を使用して巡回冗長検査（CRC：cyclic  redundancy  check）値を計算することを提供する。
【発明を実施するための最良の形態】
【００２５】
本発明の他の特徴及び態様は、添付図面を考慮して以下の詳細な説明から明らかになる。添付図面は、本発明の実施例による特徴を一例として示している。要約は本発明の範囲を限定することを意図するものではなく、本発明の範囲は単に特許請求の範囲により規定される。
【００２６】
以下の説明では、本発明の複数の実施例を示す添付図面を参照する。他の実施例が利用されてもよく、この開示の要旨及び範囲を逸脱することなく、機械的、構成的、構造的、電気的及び動作的な変更が行われてもよいことがわかる。以下の詳細な説明は限定の意味で受け取られるべきではなく、本発明の実施例の範囲は、発行された特許の請求項のみにより規定される。
【００２７】
以下の詳細な説明のいくつかの部分は、手順、ステップ、論理ブロック、処理及び他のコンピュータメモリで実行可能なデータビット上の動作の象徴的な表現で提示される。ここでは、手順、コンピュータ実行ステップ、論理ブロック、処理等は、所望の結果をもたらすステップ又は命令の首尾一貫したシーケンスであると考えられる。ステップは、物理量の物理的操作を利用するものである。これらの量は、コンピュータシステムで格納、伝達、結合、比較、操作可能な電気的、磁気的又は無線信号の形式になり得る。これらの信号は、ときどき、ビット、値、要素、シンボル、文字、語、数字等として呼ばれることがある。各ステップは、ハードウェア、ソフトウェア、ファームウェア又はこれらの組み合わせにより実行されてもよい。
【００２８】
以下の図面は、通常のUMTSシステム（Universal  Mobile  Telecommunications  System）を参照して本発明を説明するが、本発明の実施例は、他の無線システムにも同様に適用し得る。通常のUMTSシステムは、通常では複数のユーザ装置（UE：user  equipment）（場合によって、ユーザ端末、移動局、移動端末、無線データ端末及びセルラ電話と呼ばれる）を有する。通常のUMTSシステムはまた、Node  B（基地局とも呼ばれる）を含むネットワーク装置を有する。ネットワーク装置は、UEとネットワークとの間の無線アクセス接続を提供し、また、無線ネットワークコントローラ（RNC：radio  network  controller）も同様に含む。
【００２９】
図１Ａ及び１Ｂは、通常のUMTSシステムでRRC（radio  resource  connection）アイドル状態からRRC接続状態に推移する通常のメッセージシーケンスを示している。通常のUMTSシステムでは、RRCアイドル状態のUEは、図１Ａ及び１Ｂに示す手順を通じてRRC接続を開始してもよい。UE及びネットワークは、論理制御チャネルでメッセージを交換してもよい。各論理制御チャネルは、共通トランスポートチャネルにマッピングされる。
【００３０】
図１Ａは、無線インタフェース（Uu）で交換されるメッセージを示している。図示の最初のメッセージはRRC接続要求メッセージであり、RRC接続要求メッセージは、ネットワークに既知のUE識別子（グローバルUE識別子（ID）として示す）と、確立理由とを有する。ネットワークに既知のUE識別子は、ネットワークにより割り当てられたTMSI（temporary  mobile  subscriber  identity）、UEのIMSI（international  mobile  subscriber  identity）、又はUEのIMEI（international  mobile  equipment  identity）のうち１つでもよい。確立理由は、UEがネットワークに接続を要求する理由を示す。ページングメッセージへの応答メッセージを送信するとき（ページング応答）、アイドルモード中に適切なセルを選択するとき（セル更新）、アイドルモード中に適切なURAを選択するとき（URA更新）、及びMBMSサービス又はMBMSポイントツーポイント接続を受信するとき（MBMS接続）、UEは接続を要求してもよい。
【００３１】
次に、ネットワークは許可制御を実行し、RNTI（Radio  Network  Temporary  Identifier）値を割り当てる。ネットワークは、確立理由から要求されたサービスがネットワークによりサポート可能であるか否かを決定するために、許可制御処理を使用する。許可制御を実行するときに考慮される要因は、特権を決定する移動アクセスクラスと、リソースの可用性を決定するRRM（Radio  Resource  Management）状態と、ユーザの加入の詳細と、有効な端末及び盗難された端末のリストを含む装置登録とを含んでもよい。
【００３２】
RNTI値の割り当ては、ネットワークがS-RNTI（Serving  RNC（Radio  Network  Controller）  RNTI）を割り当てることを含む。S-RNTIは、サービングRNC（Serving  RNC）に対して自分を識別するためにUEにより使用される。S-RNTIはまた、UEをアドレス指定するためにSRNCにより使用される。S-RNTI値は、RRC接続を有する各UEにサービングRNCにより割り当てられ、サービングRNC内で一意である。S-RNTIは、RRC接続のサービングRNCが変更した後に再割り当てされてもよい。S-RNTIは、ブロードキャストチャネルで受信したSRNC識別子（SRNC  ID）と連結され、UTRAN内で一意のRNTI（U-RNTI：unique  RNTI）を形成してもよい。任意選択で、ネットワークは、C-RNTI（Cell  Radio  Network  Temporary  Identifier）を割り当ててもよい。C-RNTIは、共通トランスポートチャネルで割り当てられて使用されてもよい。C-RNTI値は、セルでUEを識別するために使用されてもよい。通常のネットワークでは、C-RNTIを使用する決定は、制御側無線ネットワークコントローラ（CRNC：Controlling  Radio  Network  Controller）により行われる。
【００３３】
ネットワーク装置が許可制御処理及び割り当て処理の成功を実行した後に、ネットワークは、グローバルUE  ID、新たに割り当てられたS-RNTI値、任意選択のC-RNTI値、及び無線ベアラ構成を有するRRC接続設定メッセージで、RRC接続要求メッセージに応答する。
【００３４】
RRC接続設定メッセージがUEにより処理されると、UEは、RRC接続設定完了メッセージで応答する。RRC接続設定完了メッセージは、ヘッダフィールドにC-RNTI値を伴い、UE無線アクセス機能を有する。この時点で、UEはRRC接続状態に入る。
【００３５】
RRC接続設定完了メッセージを受信したことに応じて、高速下りリンク共有チャネル（HS-DSCH：high  speed  downlink  shared  channel）が下りリンクデータ伝送に使用される場合、ネットワークは、UEへのRRC無線ベアラ設定メッセージ内でUEにH-RNTI値を割り当ててもよい。H-RNTI値は、高速下りリンク共有チャネルでUEを識別するために使用される。RRC無線ベアラ設定メッセージは、割り当てられたS-RNTIと、割り当てられたH-RNTIと、共有チャネル無線ベアラ構成とを有する。UEは、RRC無線ベアラ設定完了メッセージで応答することにより処理を完了する。この時点で、UE及びネットワークは、共有チャネル動作のレイヤ2コンテキスト（layer  2  context）を確立する。
【００３６】
図１Ｂは、UE及びネットワーク装置の要素と、これらの要素間のメッセージを示している。UEは、RRCレイヤを含むレイヤ3と、RLC（Radio  Link  Control）レイヤ及び媒体アクセス制御（MAC：medium  access  control）レイヤを含むレイヤ2と、物理レイヤ（L1）を含むレイヤ1とを有する。Node  Bは、レイヤ1の物理レイヤ（L1）を有する。RNCは、MACレイヤ及びRLCレイヤを含むレイヤ2と、RRCレイヤ及びRRMレイヤを含むレイヤ3とを有する。Node  BとRNCとの双方に更なるレイヤ1機能が存在し、これらのエンティティの間の物理接続（lubインタフェース）を提供する点に留意すべきである。しかし、これらは図面を明瞭にするために図示されていない。RRC接続要求メッセージは、UEのRRCレイヤにより開始される。RRCは、RLCレイヤにメッセージを送信し、RLCレイヤは、RLCトランスペアレントモード（TM：transparent  mode）を使用してランダムアクセスチャネル（RACH：random  access  channel）にマッピングされた共通制御チャネル（CCCH：common  control  channel）でRRC接続要求メッセージを送信する。トランスペアレントモード（TM）を使用するときに、メッセージ送信者は、承認モード（AM：acknowledgement  mode）及び不承認モード（UM：unacknowledged  mode）と異なり、メッセージシーケンス識別子を含めない。承認モード（AM）及び不承認モード（UM）の双方は、順序が狂ったパケットを識別／並び替え、損失したパケットを識別するために使用され得るメッセージシーケンス識別子を有する。承認モード（AM）は、メッセージ再送信を更に提供する。CCCHは、RLCレイヤとMACレイヤとの間の共通論理制御チャネルであり、RACHは、MACレイヤとL1レイヤとの間の共通トランスポートチャネルである。RRC接続要求メッセージは、無線インタフェース（Uu）でネットワークに送信される。
【００３７】
RRC接続要求メッセージを受信すると、Node  Bのレイヤ1は、メッセージをランダムアクセスチャネル（RACH）チャネルでRNCのMACレイヤに送信する。RACHチャネルは、複数のUEにより共有され、スケジューリングされないデータ送信に使用され得るランダムアクセス物理リソースで、UEから制御及びデータ情報を伝達するために使用される共通上りリンクトランスポートチャネルである。MACレイヤは、CCCHチャネルでRLCレイヤにメッセージを送信する。次に、RLCレイヤは、メッセージをRRCレイヤに送信し、RRCレイヤは、許可制御、S-RNTI値の割り当て、及び任意選択のC-RNTI値の割り当てのために、メッセージをRRMレイヤに送信する。
【００３８】
許可制御及びS-RNTI値の割り当ての成功の後に、RRMは、割り当てられたS-RNTI値をRRCレイヤに返信し、RRCレイヤは、不承認モード（UM）で送信されるRRC接続設定メッセージを形成する。典型的には、セル内でUEを識別するC-RNTIも割り当てられる。しかし、個別物理チャネル接続が直ちに構成される場合、C-RNTIは省略されてもよい。RRCは、RRC接続設定メッセージをRLCレイヤに送信する。RLCレイヤは、CCCHチャネルでMACレイヤにメッセージを送信する。ネットワークとUEとの間に共通RNTIコンテキストがまだ存在しないため、CCCHが使用される。すなわち、ネットワークはRNTI値を認識しているが、UEはこの段階でRNTIを認識していない。MACレイヤは、フォワードアクセスチャネル（FACH：Forward  Access  Channel）でメッセージを送信する。FACHチャネルは、ネットワークがUEの位置セルを認識しているときに、UEに制御及びデータ情報を伝達するために使用され得る共通下りリンクトランスポートチャネルである。FACHは、スケジューリングされない下りリンクデータ送信のため、複数のUEにより共有されてもよい。Node  Bのレイヤ1は無線インタフェース（Uu）でUEにメッセージを送信する。
【００３９】
不都合なことに、FACHチャネルを監視する各UEは、同封のメッセージがそれにアドレス指定されているか否かを決定するために、１つ１つのRRC接続設定メッセージ及び他のメッセージをデコードする。UEによるRRC接続設定メッセージの受信時に、UEのレイヤ1は、FACHチャネルでそのMACレイヤにメッセージを送信する。MACレイヤは、CCCHチャネルでRLCレイヤにメッセージを送信し、次に、RLCレイヤは、UEのRRCレイヤにメッセージを送信する。UEのRRCレイヤは、接続設定メッセージに含まれるグローバルIDフィールドを検査し、UEの自分のグローバルIDに合致するか否かを決定してもよい。合致しない場合、メッセージは破棄される。IDが合致する場合、メッセージはデコードされ、UEは、S-RNTI値及び場合によってはC-RNTI値の割り当てを登録する。この時点で、UEは、割り当てられた個別制御チャネル（DCCH：dedicated  control  channel）を有している。
【００４０】
次に、UEはRRC接続設定完了メッセージを使用して応答し、RRC接続設定完了メッセージは、承認モード（AM）を使用してネットワークに送信される。RRCレイヤは、メッセージをRLCレイヤに送信し、RLCレイヤは、RRC接続設定完了メッセージをMACレイヤに送信するためにDCCHチャネルを使用する。MACレイヤは、RACH（共通トランスポート）チャネルで物理レイヤ（L1）にメッセージを送信し、物理レイヤ（L1）は無線インタフェース（Uu）でNode  Bにメッセージを送信する。共通トランスポートチャネルリソースでDCCHで送信されたデータは、ヘッダフィールドを伴い、ヘッダフィールドには、セルでRACH（共通トランスポート）チャネルを使用する複数の他のUEからセルのUEを区別するためにC-RNTIが含まれる。個別又は共有トランスポートチャネルで送信されたデータについては、ユーザ識別／アドレス指定が物理リソースレベルで完了している（物理リソースとユーザ端末との間のマッピングは物理レイヤでわかる）ため、C-RNTIはヘッダに必要ない。UEがRRC接続設定完了メッセージを通信すると、UEはRRC接続状態に入る。
【００４１】
次に、Node  Bは、無線インタフェース（Uu）でRRC接続設定完了メッセージを受信する。そのレイヤ1は、RACHチャネルを使用してメッセージをRNCのMACレイヤに送信する。MACレイヤは、ヘッダ（C-RNTIを含む）を読み取り、適切なDCCHチャネルを使用してメッセージを適切なRLCエンティティに送信する。RLCは、メッセージをRRCレイヤに送信する。
【００４２】
ネットワークは、UEが高速下りリンク共有チャネル（HS-DSCH：high  speed-downlink  shared  channel）で通信するときにUEを識別するために他の値を使用する。この値は、RRCレイヤにより割り当てられ、H-RNTI（HS-DSCH  RNTI）値として指定される。H-RNTI値は、UEがHS-DSCHチャネルで確立した接続を有する間の一時識別子として使用される。ネットワークは、RLCレイヤとMACレイヤとの間のDCCHチャネルと、MACレイヤとUEのレイヤ1との間のFACHチャネルとを使用して、無線ベアラ設定メッセージ内で割り当てられたH-RNTI値をUEに送信する。Node  Bは、無線インタフェース（Uu）でUEにメッセージを送信する。UEのレイヤ1は、FACHチャネルでそのMACレイヤにメッセージを送信し、MACレイヤは、DCCHチャネルでRLCにメッセージを送信する。RLCは、RRCレイヤにメッセージを送信し、RRCレイヤは、RLC承認モード（AM）を使用してネットワークに送信されるRRC無線ベアラ設定完了メッセージで応答する。UEのRRCレイヤとRNCのRRCレイヤとの間のチャネルパスは、RRC接続完了メッセージを伝達するための前述のチャネルパスの折り返しである。
【００４３】
H-RNTIを割り当てられると、次に、UEは、下りリンク通信に高速（hs）下りリンク共有（トランスポート）チャネルを利用してもよい。このチャネルのリソース割り当ては、Node-BのMAC-hsエンティティにあるスケジューラにより許可される。MAC-hsエンティティは、UE識別子としてH-RNTIを使用することにより高速下りリンク共有チャネル割り当てを行うときに、セル内のUEをアドレス指定することができる。
【００４４】
MAC-hsエンティティは、接続設定手順及び関連するメッセージに関与していないため、図面に図示されていない。RRC接続を確立するために使用されるメッセージは、共有トランスポートチャネルで伝達されない。
【００４５】
この時点で、UE及びネットワークは、レイヤ2共有チャネルコンテキストを確立及び形成しており、ネットワークは、共有チャネル識別子をUEに割り当てている。このレイヤ2コンテキストを形成する際に、ネットワークは識別子を割り当て、３つの上りリンクメッセージと２つの下りリンクメッセージとを交換している。
【００４６】
本発明の実施例によれば、UEは、一時識別子（temp  ID）を導き、共有トランスポートチャネルでのより迅速な通信のために、レイヤ2コンテキストを迅速に確立する。このより迅速なレイヤ2コンテキストは、共通トランスポートチャネルでの多数の通信の必要性を除去することができ、共通チャネルの利用可能な全無線リソースのかなりの部分を確保する必要性を除去することができる。このような割り当ては、再構成するのが典型的に遅く、従って、トラヒック負荷の急速な変化に応じることができない。UEにより導かれた一時識別子が使用期間中にネットワークで一意である場合、UEは、共有チャネルで一意に識別され、データは、通常のシステムの場合のように静的に割り当てられた共通リソースを介してではなく、共有チャネルリソースの動的な割り当てを介して通信され得る。更に、ネットワークは、RRC接続処理中又はRRC接続処理後にUEにより導かれた一時識別子を更新してもよい。
【００４７】
図２、３Ａ及び３Ｂは、本発明に従ってユーザ装置（UE）とコアネットワーク（CN）とで動作するUTRANネットワークとE-UTRAN（evolved  UTRAN）ネットワークとを比較している。
【００４８】
図２は、複数のUEとUTRANネットワーク装置とを示している。UTRANネットワーク装置は、コアネットワークへのUEのリンクを提供する。UTRANネットワーク装置（無線アクセスネットワーク（RAN：Radio  Access  Network）とも呼ばれる）は、１つ以上の無線ネットワークサブシステム（RNS：Radio  Network  Subsystem）を有する。各RNSは、無線ネットワークコントローラ（RNC）と、１つ以上のNode  Bとを有する。RRCシグナリングについて、RNCはRRM、RRC、RLC及びMACシグナリングレイヤを提供し、Node  Bはレイヤ1を提供する。
【００４９】
図３Ａは、本発明の或る実施例に従って本発明を実施するアーキテクチャを示している。E-UTRAN（evolved  UTRAN）ネットワークは、UTRANアーキテクチャを簡略化し、構成要素間のインタフェースの数を低減するためのLTE（long  term  evolution）プラットフォームを提供する。“evolved”及び“E-”の指定は、本発明の対応する構成要素又は要素と類似し得る通常の構成要素又は要素と区別するために使用され得る。E-UTRANネットワークは、コアネットワーク（CN）と通信するためのUEのリンクを提供する。E-UTRANは、１つ以上のE-Node  B（evolved  Node  B）に結合されたLTEゲートウェイ（LTE  GW）を有する。E-Node  Bは、図２のNode  BとRNCとの双方の機能を実行する。LTEゲートウェイは、コアネットワークとE-Node  Bとの間のインタフェースを提供する。RRCシグナリングについて、E-Node  BはRRM、RRC、RLC、MAC及びL1シグナリングレイヤを提供する。ここで、簡略化のため、“evolved”及び“E-”の指定がE-UTRANネットワーク内のいくつかのラベルの構成要素から省略されている。
【００５０】
図３Ｂは、E-UTRANネットワークの代替アーキテクチャを示している。LTEゲートウェイは、コアネットワークとE-Node  Bとの間のインタフェースを提供し、また、RRCシグナリングのためのRRM及びRRCレイヤを提供する。このアーキテクチャでは、E-Node  Bは、RLC、MAC及びL1シグナリングレイヤを提供する。
【００５１】
図３Ａ及び３Ｂの実施例は、レイヤ1処理と共に配置されるMACレイヤ及びRLCレイヤを提供し、これはシグナリング待ち時間を低減することに役立つ。図３Ａは、RRC接続確立手順中に使用される各レイヤの集合を示しており、これはシグナリング待ち時間を低減することに更に役立つ。
【００５２】
図４は、本発明によるユーザ装置の構成要素を示している。ユーザ装置は、UEにより導かれた一時識別子を保持するメモリと、プロセッサと、UEにより導かれた一時識別子を導いて識別子をメモリに格納するように実行可能なプログラムコードと、E-UTRANネットワーク装置と通信するトランシーバとを有する。メモリは、RAMのような揮発性メモリでもよく、フラッシュ（EEPROM）のような不揮発性メモリでもよい。メモリは、UEの回路の構成要素でもよく、UEの筐体に設置されたスマートカードでもよい。プロセッサは、RISC（reduced  instruction  set  computer）、汎用プロセッサ、専用プロセッサ、ゲート論理実装プロセッサ等でもよい。プログラムコードは、実行可能な機械コード、オブジェクトコード、スクリプト、又は他のコンピュータ解釈コード若しくはコンパイルコードでもよい。プログラムコードは、圧縮されてもよく、圧縮されなくてもよく、エンコードされてもよく、エンコードされなくてもよい。トランシーバは、TDD（time  division  duplex）方式又はFDD（frequency  division  duplex）方式で動作するCDMA（code  division  multiple  access）送信機／受信機の対でもよい。
【００５３】
図５Ａ及び５Ｂは、本発明による初期のシグナリングシーケンスを示している。各図において、まず、UEは一時識別子（temp  ID）を導く。一時識別子を導く処理は、本発明の異なる実装の間で変化してもよい。一時識別子の導出は、E-Node  BのE-MACエンティティによりスケジューリングされた共有トランスポートチャネルでのレイヤ2メッセージの迅速なレイヤ2コンテキストを提供する。一時識別子の導出は、２つのUEが同じ一時識別子を導く許容レベルの可能性を最小化するように生じることが好ましい。２つのUEがセル内で同じ一時識別子を導き、重複する期間中にこれらを使用しようとする場合、更なる衝突検出及び回復手順が実施されてもよい。
【００５４】
本発明の或る実施例では、UEは、ネットワークに既知のUE識別子の一部から一時識別子を形成することにより、一時識別子を導く。ネットワークに既知のUE識別子は、ネットワークにより割り当てられたTMSI（temporary  mobile  subscriber  identity）、UEのIMSI（international  mobile  subscriber  identity）、又はUEのIMEI（international  mobile  equipment  identity）のうち１つでもよい。UEは、TMSI、IMSI又はIMEIの所定数の最小位ビットを使用してもよい。例えば、TMSIが利用可能である場合、UEは、32ビットのTMSIのうち下位の16ビットを使用することにより、temp  IDを導いてもよい。TMSIが利用可能でない場合、UEは、32ビットのIMSIのうち下位の16ビットを使用してもよい。TMSIもIMSIも利用可能でない場合、UEは、32ビットのIMEIのうち下位の16ビットを使用してもよい。
【００５５】
本発明の或る実施例では、UEは、複数の一時識別子から一時識別子を選択することにより、一時識別子を導いてもよい。複数の一時識別子は、共通のビット長の可能な値の一部を有してもよい。例えば、複数の一時識別子は、16ビットの可能な並び替えのうち1/8を有してもよい。ネットワークは、将来のUEにより導かれた値との潜在的な衝突の可能性を除去するために、残りの7/8の可能な並び替えから値を選択することにより、一時識別子を再割り当てしてもよい。複数の一時識別子は、RAM又はROMに格納されたテーブルの形式でもよい。或る実施例では、複数の一時識別子はUEにより生成される。或る実施例では、複数の一時識別子はネットワークからUEに伝達される。或る実施例では、複数の一時識別子の指示はネットワークからUEにブロードキャストチャネル（BCH）でブロードキャストされる。或る実施例では、複数の一時識別子は不揮発性メモリに保存される。
【００５６】
或る実施例では、UEにより導かれた一時識別子はまた、時間又は無線フレーム番号の関数でもよい。この関数は、所定のパターンに従って変化してもよく、例えばブロードキャストチャネル（BCH）でUEに伝達されてもよい。代替として、変化パターンは、その導出にランダムな要素を有してもよい。一時識別子を導くときのユーザ装置による時間変化する構成要素又は時間パラメータ（システムクロック、スーパーフレーム番号、無線フレーム番号、サブフレーム番号、タイムスロット番号等）の使用は、２つ以上のユーザが所定の時間フレーム内で同じ一時識別子を選択する可能性を低減することに有利に役立ち得る。
【００５７】
一時識別子を導いた後に、UEは、第１の上りリンクメッセージでこのUEにより導かれた一時識別子をE-UTRANネットワークに送信する。ネットワークが初期の一時識別子を受信するとすぐに、初期のL2共有チャネルコンテキストが形成される。この時点で、UEとネットワークとの双方は、一時識別子の値を認識する。しかし、この接続は衝突する可能性があり、ネットワークが置換一時識別子を再割り当てしたときに、（衝突の可能性のない）永続的な接続が形成され得る。
【００５８】
temp  IDの受信時に、ネットワークは物理リソースを割り当てる。割り当てられた物理リソースは、UEがデータメッセージを正確にエンコード及び送信すること又は正確に受信及びデコードすることを可能にするように、UEに割り当てられたリソースを記述する。この記述は、(1)明示的な又は関連の送信時間、(2)物理チャネルリソースの記述（符号、周波数、サブキャリア、時間／周波数符号等）、(3)リソースでのデータのフォーマット形式、及び／又は(4)FEC符号化形式、ブロックサイズ、変調フォーマット等のような属性を有してもよい。
【００５９】
この物理リソースは、上りリンクリソース（図５Ａに示す）又は下りリンクリソース（図５Ｂに示す）でもよい。ネットワークは、宛先アドレスとしてUEにより導かれた一時識別子を含み、割り当てられた物理リソースの記述も含む第１の下りリンクメッセージをUEに送信する。次に、UE及びネットワークは、割り当てられた物理リソースでユーザトラヒックデータ又はシグナリングデータ（データ）を通信する。
【００６０】
図５Ａは、ネットワークにより割り当てられて第１の下りリンクメッセージで記述された上りリンクのスケジューリングされた共有リソースで通信されるデータを示している。上りリンクデータでは、UEが割り当てられた物理リソースの記述を含む第１の下りリンクメッセージを受信して処理した後に、UEはデータを送信しさえすればよい。UEがユーザトラヒックデータ又はシグナリングデータをネットワークに送信しようとするときに、UEは、temp  IDを導き、上りリンク物理リソースを取得するこのシーケンスを開始してもよい。
【００６１】
図５Ｂは、ネットワークにより割り当てられて第１の下りリンクメッセージで記述された下りリンクのスケジューリングされた共有リソースで通信されるデータを示している。下りリンクデータでは、UEが割り当てられた物理リソースの記述を含む第１の下りリンクメッセージを受信して処理した後に、UEはデータを受信して処理しさえすればよい。或る実施例では、第１の下りリンクメッセージは、第２の下りリンクメッセージをも含むバーストで伝達されて受信される。この場合、UEは、受信したバーストを処理し、割り当てられた物理リソースを取得する。ユーザトラヒックデータ又はシグナリングデータが割り当てを含む第１の下りリンクメッセージと同じバーストに含まれることを割り当てが示す場合、UEは、受信したバーストを再処理し、第２の下りリンクメッセージを取得してもよい。
【００６２】
通常のシステムは、共通チャネルと共有チャネルとの双方を構成する。リソースの分割は、結合のリソースの効果的な使用を制限する。例えば、特定の時間のほとんどのトラヒックが共通チャネルを使用する場合、共有チャネルはアイドルのままになる。逆に、ほとんどのトラヒックが構成された共有チャネルを使用している場合、共通チャネルは十分に利用されないままになる。本発明の或る実施例によれば、最小の一式のリソースが、図５Ａ及び５Ｂの第１の上りリンクメッセージのようなスケジューリングされないメッセージに割り当てられてもよい。このチャネルの上りリンクメッセージは、temp  IDのみを含む短いメッセージ、又は代替としてtemp  IDと何の形式のリソースが要求されているかの指示を含む短いメッセージに制限されてもよい。各UEはレイヤ2のアドレス指定可能なtemp  IDを使用してネットワークとコンタクトを開始するため、スケジューリングされない下りリンクチャネル（例えばFACH）は、構成されたチャネルから削除されてもよい。リソースの残りは、制御チャネルメッセージ（例えば、第１の下りリンクメッセージ）及びユーザトラヒックデータ又はシグナリングデータ（すなわち、第２の下りリンク又は上りリンクメッセージ）の間で動的に割り当てられてもよい。このようなリソースの割り当ては、リソースのより効率的な使用のため、高帯域のシステムを提供する。
【００６３】
図６Ａ及び６Ｂに示すように、本発明の或る実施例は、上りリンクメッセージにランダムアクセスチャネル（RACH）を利用し、下りリンクメッセージにスケジューリングされたチャネルを利用し、その後の上りリンクメッセージに共通チャネルを利用する。図７Ａ及び７Ｂに示すように、本発明の或る実施例は、第１の上りリンクメッセージにランダムアクセスチャネル（RACH）を利用し、その後の下りリンク及び上りリンクメッセージにスケジューリングされたチャネルを利用する。図８Ａ及び８Ｂに示すように、本発明の或る実施例は、短縮された初期の上りリンクメッセージにランダムアクセスチャネル（RACH）を利用し、その後の下りリンク及び上りリンクメッセージにスケジューリングされたチャネルを利用する。
【００６４】
図６Ａ及び６Ｂは、本発明によるスケジューリングされた下りリンクを使用した詳細なシグナリングシーケンスを示している。UEは一時識別子を導き、第１の上りリンクメッセージで一時識別子をネットワークに送信する。temp  IDに加えて、第１の上りリンクメッセージは、確立理由パラメータと２つの任意選択のパラメータ（バッファ占有及びグローバルUE  ID）とを有する。確立理由及びグローバルUE  IDは、図１Ａを参照して前述した対応のパラメータと同じもの又は類似のものでもよい。
【００６５】
バッファ占有は、UEの送信バッファの送信用の現在の保留データの指示として使用されてもよく、上りリンク送信を許可するリソースの程度を決定するためにNode  Bのスケジューラにより使用されてもよい。バッファ占有は、例えば複数の送信フロー、形式又は優先ストリーム毎の単一のビット、量子化された値の範囲、バイトでの絶対値、又は値のリストでもよい。
【００６６】
UEは、トランスペアレントモード（TM）を使用してRRC接続要求メッセージを送信してもよい。ネットワーク装置によるRRC接続要求メッセージの受信時に、ネットワークは、（図１Ａを参照して前述した）許可制御を実行し、確立理由パラメータにより示される物理リソース（上りリンク共有チャネル（UL-SCH：uplink  shared  channel）又は下りリンク共有チャネル（DL-SCH：downlink  shared  channel））を割り当てる。任意選択で、ネットワークはまた、S-RNTIと置換temp  IDとを割り当ててもよい。
【００６７】
ネットワークは、temp  IDを含む下りリンクスケジューリング許可指示を含む第１の下りリンクメッセージを送信し、特定のUEと割り当てられた物理リソースの記述とをアドレス指定する。第１の下りリンクメッセージは、可能なスケジューリングメッセージを予期又は待機するUEにより監視される共有物理制御チャネル（SPCCH：shared  physical  control  channel）で送信されてもよい。ネットワークはまた、置換一時識別子を送信してもよい。ネットワークは、UEにより選択不可能な一意の識別子のリスト又はテーブルから置換一時識別子を選択してもよい。このような置換一時識別子は、第１のUEからのUEにより導かれた一時識別子を含むメッセージが、第２のUEにより導かれた同じ一時識別子を含むメッセージと衝突しないことを確保する。実際に、UEにより導かれた一時識別子は、確実なネットワークにより選択された一意の識別子により置換され得る、限られた期間の一意と期待される識別子を提供する。置換一時識別子は、RRC接続設定メッセージで送信されてもよく、SPCCH許可メッセージに含まれてもよい。
【００６８】
下りリンクスケジューリング許可メッセージの受信時に、UEは、短いスケジューリングメッセージをデコードし、temp  IDを検査する。temp  IDによりアドレス指定されたUEのみが、下りリンク共有チャネル（DL-SCH：downlink  shared  channel）で送信された又は送信される長いメッセージをデコードする必要がある。スケジューリング許可メッセージによりアドレス指定されていない他のUEは、CPUサイクル又はバッテリリソースを使い、RRC接続設定メッセージ又は他の長いメッセージをデコードして、メッセージがそれに指示されたか否かを決定する必要はない。
【００６９】
temp  IDにより識別されたUEは、下りリンクスケジューリング許可メッセージに記述された割り当てられた物理リソースで送信されたメッセージを受信してデコードする。UEへのこの第２の下りリンクメッセージは、不承認モード（UM）を使用してネットワークにより送信されたRRC接続設定メッセージを有してもよい。任意選択で、RRC接続設定メッセージは、置換temp  ID、割り当てられたS-RNTI値、及び／又はグローバルUE  IDを有してもよい。UEが置換temp  IDを受信すると、UEは、ネットワークでメッセージを伝達するときに、その一時識別子としてこの置換temp  IDを使用する。更に、RRC接続要求メッセージからネットワークにより受信された場合、且つ重複するtemp  IDの間の衝突がネットワークにより検出された場合、グローバルUE  IDがこの第１の下りリンクメッセージに含まれてもよい。或る実施例では、グローバルUE  IDは、メッセージに明示的に組み込まれる。他の実施例では、グローバルUE  IDは、下りリンクメッセージをエンコードするために使用される（例えばCRC）。
【００７０】
衝突を処理する競合解決処理について、図９及び１０を参照して更に以下に説明する。更に、或る実施例では、無線ベアラ構成は、ブロードキャストチャネル（BCH）を使用して複数のUEに送信されてもよい。
【００７１】
次に、UEは、承認モード（AM）を使用してRRC接続設定完了メッセージを準備して送信することにより、RRC接続設定メッセージを受信して処理するように応答する。置換temp  IDがネットワークにより提供された場合、UEは、この新しい値をその一時識別子として使用する。RRC接続設定完了メッセージもまた、UEの様々な機能を示すUE無線アクセス機能パラメータを有してもよい。
【００７２】
本発明によれば、通常のRRC無線ベアラ設定サービス（図１Ａ）内に含まれる情報は、各UEに個々に伝達されるのではなく、BCHでブロードキャストされてもよい。この理由は、共有チャネルを記述する情報は、セルの複数のUEにより使用され得るからである。
【００７３】
図６Ｂは、UE及びネットワーク装置の要素と、これらの要素間のメッセージを示している。UEは、E-RRC（evolved  RRC）レイヤを含むレイヤ3と、E-RLC（evolved  Radio  Link  Control）レイヤ及びE-MAC（evolved  MAC）レイヤを含むレイヤ2と、物理レイヤ（L1）を含むレイヤ1とを有する。E-UTRANネットワークは、レイヤ1の物理レイヤ（L1）と、E-MAC（evolved  MAC）レイヤ及びE-RLC（evolved  RLC）レイヤを含むレイヤ2と、E-RRC（evolved  RRC）レイヤ及びE-RRM（evolved  RRM）レイヤを含むレイヤ3とを有する。
【００７４】
RRC接続要求メッセージは、UEのE-RRCレイヤにより開始される。E-RRCは、E-RLCレイヤにメッセージを送信し、E-RLCレイヤは、トランスペアレントモード（TM）を使用してランダムアクセスチャネル（RACH）にマッピングされた共通制御チャネル（CCCH）でRRC接続要求メッセージを送信する。CCCHは、E-RLCレイヤとE-MACレイヤとの間の論理制御チャネルであり、RACHは、E-MACレイヤとL1レイヤとの間の共通トランスポートチャネルである。RRC接続要求メッセージは、無線インタフェース（Uu）でネットワークに送信される。
【００７５】
RRC接続要求メッセージを受信すると、ネットワーク装置のレイヤ1は、メッセージをランダムアクセスチャネル（RACH）チャネルでMACレイヤに送信する。MACレイヤは、CCCHチャネルでE-RLCレイヤにメッセージを送信する。次に、E-RLCレイヤは、メッセージをE-RRCレイヤに送信し、E-RRCレイヤは、許可制御、置換一時識別子の割り当て、及び任意選択のS-RNTI値の割り当てのために、メッセージをE-RRMレイヤに送信する。
【００７６】
許可制御並びに任意選択の一時IDの置換及び任意選択のS-RNTI値の割り当ての後に、E-RRMは、割り当てられた値をE-RRCレイヤに返信し、E-RRCレイヤは、不承認モード（UM）で送信されるRRC接続設定メッセージを形成する。E-RLCは、RRC接続設定メッセージをE-RLCレイヤに送信する。E-RLCレイヤは、DCCH又はCCCHチャネルでE-MACレイヤにメッセージを送信する。
【００７７】
単にRRC接続設定メッセージを転送する代わりに、E-MACレイヤは、UEに送信するために、共有物理制御チャネル（SPCCH：shared  physical  control  channel）でレイヤ1にスケジューリング許可メッセージを送信する。UEのレイヤ1は、スケジューリング許可を受信し、スケジューリング許可は、RRC接続設定メッセージを伝達する物理リソースを示す。E-MACレイヤはまた、同時に又は次に、下りリンク共有チャネル（DL-SCH）の割り当てられた物理リソースでRRC接続設定メッセージをレイヤ1に送信する。レイヤ1は、無線インタフェース（Uu）でUEにRRC接続設定メッセージを送信する。好都合なことに、無線インタフェースを監視する各UEは、同封のメッセージがそれにアドレス指定されているか否かを決定するために、長いRRC接続設定メッセージ及び他のメッセージではなく、短いスケジューリングメッセージのみをデコードする。
【００７８】
UEによるRRC接続設定メッセージの受信時に、UEのレイヤ1は、DL-SCHチャネルでそのE-MACレイヤにメッセージを送信する。E-MACレイヤは、DCCH又はCCCHチャネルでE-RLCレイヤにメッセージを送信し、次に、E-RLCレイヤは、UEのE-RRCレイヤにメッセージを送信する。
【００７９】
次に、UEはRRC接続設定完了メッセージを使用して応答し、RRC接続設定完了メッセージは、承認モード（AM）を使用してネットワークに送信される。E-RRCレイヤは、メッセージをE-RLCレイヤに送信し、E-RLCレイヤは、RRC接続設定完了メッセージをE-MACレイヤに送信するためにDCCHチャネルを使用する。E-MACレイヤは、RACHチャネルで物理レイヤ（L1）にメッセージを送信し、物理レイヤ（L1）は無線インタフェース（Uu）でネットワークにメッセージを送信する。UEがRRC接続設定完了メッセージを通信すると、UEはRRC接続状態に入る。
【００８０】
次に、ネットワークは、無線インタフェース（Uu）でRRC接続設定完了メッセージを受信する。そのレイヤ1は、RACHチャネルを使用してメッセージをE-MACレイヤに送信する。E-MACレイヤは、DCCHチャネルを使用してメッセージをE-RLCに送信する。E-RLCは、メッセージをE-RRCレイヤに送信する。
【００８１】
図７Ａ及び７Ｂは、本発明によるスケジューリングされた下りリンクとスケジューリングされない上りリンク及びスケジューリングされた上りリンクとを使用した詳細なシグナリングシーケンスを示している。RRC接続要求メッセージ及びRRC接続設定メッセージのスケジューリング及び交換と、許可制御と、リソースの割り当てとは、図６Ａ及び６Ｂを参照して前述した通りである。図７Ａ及び７Ｂは、共有リソースでその後の上りリンクメッセージを送信することで、前述の実施例と異なる。
【００８２】
特に、UEのE-MACレイヤがそのE-RLCレイヤからRRC接続設定完了メッセージを受信すると、まず、UEのE-MACレイヤは、RACHチャネル又はE-RACH（evolved  RACH）チャネルでスケジューリング要求メッセージを送信する。短いスケジューリング要求メッセージは、ネットワークからの上りリンク物理リソースの割り当てを要求する。スケジューリング要求メッセージは、無線インタフェース（Uu）でネットワークに送信される。ネットワークのレイヤ1によりスケジューリング要求メッセージを受信すると、スケジューリング要求メッセージは、RACHチャネルでネットワークのE-MACレイヤに転送される。E-MACレイヤは、上りリンク共有チャネル（UL-SCH）をUEに割り当て、共有物理制御チャネル（SPCCH：shared  physical  control  channel）でE-MACレイヤからレイヤ1に送信され、次に無線インタフェース（Uu）でUEのレイヤ1に送信されるスケジューリング許可メッセージに上りリンク割り当てを記述する。UEのレイヤ1は、SPCCHチャネルでE-MACレイヤにスケジューリング許可メッセージを転送する。E-MACレイヤは、ネットワークに送信するために、割り当てられたUL-SCHリソースでレイヤ1にRRC接続設定完了メッセージを転送する。
【００８３】
本発明の或る実施例に従って共有のスケジューリングされた上りリンク及び／又は下りリンク方式を使用することにより、１つ以上の利点が実現され得る。例えば或る実施例では、初期の上りリンクリソースでの短いメッセージは、無線インタフェースの物理レイヤでの衝突を低減し得る。或る実施例では、（重複する期間中に２つのUEにより個別に導かれた共通の一時識別子のため生じる）論理的衝突は、UEでの衝突回復手順及び／又はネットワークでの衝突回復手順により克服され得る。或る実施例では、別法ではRACH及び／又はFACH共通チャネルに専用のリソースは、低減又は場合によって除去され得る。従って、これらのリソースは、他のチャネルトラヒック形式への割り当てに利用可能になる。従って、複数のトラヒック形式が同じ共有チャネルリソースを共有することを許可されておらず、その代わりに別のリソースを割り当てられる必要がある場合に比べて、無線リソースの効率的な使用が実現され得る。この理由は、全てのトラヒック形式を共有チャネルのみに多重することにより、スケジューラは、各トラヒック形式により提示される変化する瞬時負荷に割り当てられたリソースを動的に適合することができるからである。これに対して、別の無線リソースが各トラヒック形式に静的に割り当てられる場合、各トラヒック形式により与えられるトラヒック負荷の変化は、最初に共通チャネルに割り当てられて次に共有チャネルに割り当てられた全無線リソース空間の各部分を再構成せずに、適応不可能である。或る実施例では、UEにより観測されるシグナリング待ち時間及び応答時間が低減され得る。或る実施例では、スケジューリングされたチャネルの使用は、UEが短いスケジューリングメッセージをデコードし、もはや他のUEにアドレス指定された各共通チャネルのメッセージを監視してデコードする必要がないことを意味する。これは、UEの電池寿命の効率的な使用をもたらす。更に、或る実施例では、高速チャネルでの接続設定のシグナリング交換は、通常の共通チャネルより速く生じ得る。
【００８４】
図８Ａ及び８Ｂは、本発明によるスケジューリングされた下りリンクとスケジューリングされた上りリンクとを使用した詳細なシグナリングシーケンスを示している。図示の実施例では、初期の上りリンク通信は、その後の通信と同様にスケジューリングされる。RRC接続要求を有する初期のメッセージを送信するのではなく、UEは、まず、短いスケジューリング要求メッセージを送信し、上りリンク物理リソースを割り当てるようにネットワークに要求する。UEは、一時識別子を導き、短い上りリンクメッセージに含める。メッセージは、任意選択で（前述の）バッファ占有パラメータと、理由パラメータとを有してもよい。理由パラメータは、要求の理由（例えば、上りリンク物理リソースの要求）を示してもよい。ネットワークは、上りリンク共有チャネル（UL-SCH）を割り当て、共有物理制御チャネル（SPCCH）でUEにより導かれた一時識別子とUL-SCHの記述とを有するスケジューリング許可を送信する。UEのE-MACレイヤは、SPCCHチャネルで上りリンクスケジューリング許可メッセージを受信し、割り当てられたUL-SCH物理チャネルでRRC接続要求を送信することにより応答する。RRC接続要求メッセージは、図７Ａ及び７Ｂを参照して前述した許可制御及び更なるリソース割り当てを実行するネットワークにより受信される。更に、図８Ａは、RRC接続要求及びRRC接続設定メッセージの一方又は双方を通信するときに、承認モード（AM）を使用し得る実施例を示しており、他の実施例は不承認モード（UM）を使用し得る。
【００８５】
図９及び１０は、本発明による競合解決処理を示している。この競合シナリオは、２つのUEが共通の一時識別子を導いて使用しているときに生じる。各UEは、図５Ａ、５Ｂ、６Ａ−B、７A−B又は８Ａ−Ｂを参照して前述したRRC接続要求メッセージを送信する。一時識別子の導出は、２つのUEが同じ一時識別子を導く許容レベルの可能性を最小化するように生じることが好ましい。しかし、或る実施例では、２つのUEがセル内で同じ一時識別子を導くことがある。従って、更なる衝突検出及び回復手順が実施されてもよい。
【００８６】
図９は、主にUEにより起こされる救済手段を示している。２つのUEは、同一の一時識別子（第１のtemp  ID）を使用してネットワークに上りリンクメッセージを送信する。上りリンクメッセージは、RACHチャネル又はE-RACHで送信されるメッセージでもよい。メッセージは、スケジューリング要求メッセージ（図示のもの）又は他のメッセージでもよい。ネットワークは、２つの上りリンクメッセージで重複した同一の一時識別子を検出してもよい。ネットワークは、以下の処理を実行しないように選択してもよく、各UEがタイムアウトすることを許可する。予想される下りリンク応答を受信しなかった後に、各UEは、初期に導かれた一時識別子を破棄し、他の一時識別子（それぞれ、第２のtemp  ID及び第３のtemp  ID）を導く。各UEは、新しく導かれた一時識別子を使用して元の上りリンクメッセージを再送信する。新しい一時識別子の受信時に、初期のレイヤ2コンテキストが共有チャネル動作について各UEとネットワークとの間で確立される。ネットワークは、前述のように一意のtemp  IDを有する各UEに応答する。
【００８７】
図１０は、主にネットワークにより起こされる救済手段を示している。この場合も同様に、２つのUEは、同一の一時識別子（temp  ID）を使用して上りリンクメッセージをネットワークにそれぞれ送信する。上りリンクメッセージは、RACHチャネル又はE-RACHで送信されるメッセージでもよい。メッセージは、RRC接続要求メッセージ（図示のもの）又は他のメッセージでもよい。ネットワークは、２つの上りリンクメッセージで同一の一時識別子を検出してもよい。この場合、２つのUEは、同じtemp  IDを導いており、アドレス指定されたこのtemp  IDを含む下りリンクシグナリングをそれぞれ予想してもよい。このような場合、ネットワークは、衝突又は競合が生じたことを決定してもよい。しかし、上りリンクメッセージの一方又は双方がグローバルUE  IDを含む場合、UEは、相互に区別され得る。この時点で、初期のレイヤ2コンテキストが共有チャネル動作について各UEとネットワークとの間で確立される。
【００８８】
ネットワークは、制御チャネルで、下りリンクリソースを割り当てられたスケジューリング許可メッセージを送信してもよい。ネットワークはまた、スケジューリング許可メッセージに記述されたトラヒックチャネルで、グローバルUE  IDを組み込んだメッセージを送信してもよい。例えば、ネットワークは、衝突するUEにより導かれた一時識別子を使用してUEにアドレス指定されたRRC接続完了メッセージを送信してもよい。或る実施例では、ネットワークは、グローバルUE  IDをパラメータとして含めることにより、グローバルUE  IDを下りリンクメッセージに明示的に組み込む。代替として、ネットワークは、下りリンクメッセージをエンコードするためにグローバルUE  IDを使用することにより、グローバルUE  IDを組み込んでもよい。例えば、組み込むことは、ネットワークに既知のUE識別子を使用して巡回冗長検査（CRC）値を計算することを有してもよい。下りリンクメッセージをデコードするときに、各UEは、グローバルUE  IDがパラメータとして明示的に組み込まれたか否かを決定するためにそのグローバルUE  IDを使用してもよく、代替として、メッセージをデコードして前に送信されたグローバルUE  IDがメッセージをエンコードするためにネットワークにより使用されたか否かを決定するためにそのグローバルUE  IDを使用してもよい。更に、ネットワークは、そのグローバルUE  IDを送信したUEに置換temp  IDを割り当てることにより応答してもよい。１つのUEが置換temp  IDを受信すると、共有チャネル動作について双方のUEに一意のレイヤ2コンテキストが形成される。第１のUEは、RRC接続設定メッセージを受信して適切にデコードし、RRC接続設定メッセージはそのUEでエンコードされる。第２のUEは、RRC接続設定メッセージをデコードしようとするが、メッセージが未知のグローバルUE  IDでエンコードされているため失敗し、第２のUEがメッセージを破棄して下りリンクスケジューリングチャネル（SPCCH）に戻るようにさせる。第２のUEは、ネットワークにより送信された第２の下りリンクスケジューリング許可メッセージを受信する。第２のUEは、それにアドレス指定されたRRC接続設定メッセージを適切に受信してデコードする。双方のUEは、RRC接続設定完了メッセージで応答することにより、処理を完了してもよい。
【００８９】
特定の実施例及び例示的な図面に関して本発明を説明したが、本発明は、記載の実施例又は図面に限定されないことを当業者は認識する。例えば、前述の多数の実施例は、3GPPシステム及びE-UTRAN（evolved  UMTS  Terrestrial  Radio  Access  Network）の用語を参照する。より一般的に、或る実施例は、TDD（time  division  duplex）方式又はFDD（frequency  division  duplex）方式で動作するCDMA（code  division  multiple  access）送信機／受信機の対を使用したトランシーバを有してもよい。代替として、トランシーバは、TDMAシステム、FDMAシステム、OFDMシステム、又はこれらのハイブリッド（例えば、TDMA/FDMA、TDMA/CDMA、TDMA/OFDM及びTDMA/OFDM/CDMA）で使用されるような非符号分割のトランシーバでもよい。トランシーバは、バーストで動作してもよく、信号ストリームで動作してもよい。
【００９０】
提供される図面は単に表現的なものであり、縮尺通りでないことがある。この特定の部分は誇張されることがあり、他の部分は最小化されることがある。図面は、当業者により理解されて適切に実行され得る本発明の様々な実装を示すことを意図する。従って、本発明は、特許請求の範囲の要旨及び範囲内で変更及び置換して実施され得ることがわかる。説明は、網羅的であることを意図せず、開示された正確な形式に本発明を限定することを意図しない。本発明は、変更及び置換して実施可能であり、本発明は、特許請求の範囲及びその均等のみにより限定されることがわかる。
【図面の簡単な説明】
【００９１】
【図１Ａ】通常のUMTSシステムでRRCアイドル状態からRRC接続状態に推移する場合の通常のメッセージのシーケンス
【図１Ｂ】通常のUMTSシステムでRRCアイドル状態からRRC接続状態に推移する場合の通常のメッセージのシーケンス
【図２】ユーザ装置（UE）とコアネットワーク（CN）とで動作するUTRANネットワークとE-UTRANとの比較
【図３Ａ】本発明に従ってユーザ装置とコアネットワークとで動作するE-UTRANネットワーク
【図３Ｂ】本発明に従ってユーザ装置とコアネットワークとで動作するE-UTRANネットワーク
【図４】本発明によるユーザ装置の構成要素
【図５Ａ】本発明による初期のシグナリングシーケンス
【図５Ｂ】本発明による初期のシグナリングシーケンス
【図６Ａ】本発明によるスケジューリングされた下りリンクを使用した詳細なシグナリングシーケンス
【図６Ｂ】本発明によるスケジューリングされた下りリンクを使用した詳細なシグナリングシーケンス
【図７Ａ】本発明によるスケジューリングされた下りリンクとスケジューリングされない上りリンク及びスケジューリングされた上りリンクとを使用した詳細なシグナリングシーケンス
【図７Ｂ】本発明によるスケジューリングされた下りリンクとスケジューリングされない上りリンク及びスケジューリングされた上りリンクとを使用した詳細なシグナリングシーケンス
【図８Ａ】本発明によるスケジューリングされた下りリンクとスケジューリングされた上りリンクとを使用した詳細なシグナリングシーケンス
【図８Ｂ】本発明によるスケジューリングされた下りリンクとスケジューリングされた上りリンクとを使用した詳細なシグナリングシーケンス
【図９】本発明による競合解決の処理
【図１０】本発明による競合解決の処理
【図１Ａ】
2009522889.tif 000003
【図１Ｂ】
2009522889.tif 000004
【図２】
2009522889.tif 000005
【図３Ａ】
2009522889.tif 000006
【図３Ｂ】
2009522889.tif 000007
【図４】
2009522889.tif 000008
【図５Ａ】
2009522889.tif 000009
【図５Ｂ】
2009522889.tif 000010
【図６Ａ】
2009522889.tif 000011
【図６Ｂ】
2009522889.tif 000012
【図７Ａ】
2009522889.tif 000013
【図７Ｂ】
2009522889.tif 000014
【図８Ａ】
2009522889.tif 000015
【図８Ｂ】
2009522889.tif 000016
【図９】
2009522889.tif 000017
【図１０】
2009522889.tif 000018
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
ユーザ装置とネットワーク装置との間で無線通信システムの共有物理リソースで無線接続及びその後の通信を開始する方法であって、
ユーザ装置により、
一時識別子として自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信することを有する方法。
【請求項２】
前記一時識別子を導くことは、ネットワークに既知のUE識別子の一部から前記一時識別子を形成することを有する、請求項１に記載の方法。
【請求項３】
前記ネットワークに既知のUE識別子は、TMSI（temporary  mobile  subscriber  identity）、IMSI（international  mobile  subscriber  identity）及びIMEI（international  mobile  equipment  identity）のグループのうち１つを有する、請求項２に記載の方法。
【請求項４】
前記一時識別子を導くことは、複数の一時識別子から前記一時識別子を選択することを有する、請求項１に記載の方法。
【請求項５】
前記一時識別子を導くことは、時間パラメータに基づいて前記一時識別子を導くこと有する、請求項１に記載の方法。
【請求項６】
前記複数の一時識別子は、テーブルを有する、請求項４に記載の方法。
【請求項７】
前記ネットワーク装置から前記複数の一時識別子の指示を受信することを更に有する、請求項４に記載の方法。
【請求項８】
前記受信した指示は、ブロードキャストチャネル（BCH）で前記指示を受信することを有する、請求項７に記載の方法。
【請求項９】
前記複数の一時識別子を不揮発性メモリに保存することを更に有する、請求項４に記載の方法。
【請求項１０】
前記一時識別子を前記ネットワーク装置に送信することは、前記一時識別子と前記スケジューリングされたリソースの要求とを有する第１の上りリンクメッセージ内で前記一時識別子を送信することを有する、請求項１に記載の方法。
【請求項１１】
前記スケジューリングされたリソースは、上りリンクのスケジューリングされたリソース及び下りリンクのスケジューリングされたリソースのグループのうち１つを有する、請求項１０に記載の方法。
【請求項１２】
前記一時識別子を送信することは、第１の上りリンクメッセージを送信することを有し、
前記下りリンクメッセージを受信することは、第１の下りリンクメッセージを受信することを有し、
前記スケジューリングされたリソースで前記データを通信することは、第２の上りリンクメッセージで接続要求を送信することを有する、請求項１に記載の方法。
【請求項１３】
前記第２の上りリンクメッセージに応じて送信された第２の下りリンクメッセージを受信し、前記第２の下りリンクメッセージは、前記一時識別子と共有下りリンクチャネルでのスケジューリングされた下りリンクリソースの記述とを伝達し、前記スケジューリングされた下りリンクリソースは、前記ネットワーク装置により前記ユーザ装置に割り当てられた下りリンクリソースを有し、
前記スケジューリングされた下りリンクリソースで第３の下りリンクメッセージを受信し、前記第３の下りリンクメッセージは、接続設定メッセージを有する、請求項１２に記載の方法。
【請求項１４】
前記一時識別子を送信することは、第１の上りリンクメッセージを送信することを有し、
前記方法は、
前記第１の上りリンクメッセージを送信した後、且つ前記下りリンクメッセージを受信する前にタイムアウトし、
異なる一時識別子を選択し、
前記一時識別子の代わりに前記異なる一時識別子を有する前記第１の上りリンクメッセージを再送信することを更に有する、請求項１に記載の方法。
【請求項１５】
前記一時識別子を送信することは、RRC接続要求を有する第１の上りリンクメッセージで前記一時識別子を送信することを有する、請求項１に記載の方法。
【請求項１６】
前記一時識別子を送信することは、第１の上りリンクメッセージで前記一時識別子を送信することを有し、
前記方法は、RRC接続要求を有する第２の上りリンクメッセージを送信することを更に有し、前記第２の上りリンクメッセージは、前記第１の上りリンクメッセージと異なる、請求項１に記載の方法。
【請求項１７】
前記データを通信することは、RRC接続要求メッセージを有する、請求項１に記載の方法。
【請求項１８】
RRC接続要求を送信し、
RRC接続設定メッセージを受信することを更に有する、請求項１に記載の方法。
【請求項１９】
前記ネットワーク装置から置換識別子を受信し、
前記一時識別子の代わりに前記置換識別子を使用することを更に有する、請求項１に記載の方法。
【請求項２０】
ネットワークに既知のUE識別子を前記要求に組み込むことを更に有する、請求項１に記載の方法。
【請求項２１】
前記ネットワークに既知のUE識別子は、TMSI（temporary  mobile  subscriber  identity）、IMSI（international  mobile  subscriber  identity）及びIMEI（international  mobile   equipment  identity）のグループのうち１つを有する、請求項２０に記載の方法。
【請求項２２】
前記組み込むことは、前記ネットワークに既知のUE識別子をパラメータとして前記要求に含めることを有する、請求項２０に記載の方法。
【請求項２３】
前記組み込むことは、前記ネットワークに既知のUE識別子を使用して巡回冗長検査（CRC）値を計算することを有する、請求項２０に記載の方法。
【請求項２４】
ネットワークに既知のUE識別子を使用して前記ネットワーク装置からのメッセージをデコードすることを更に有する、請求項１に記載の方法。
【請求項２５】
前記無線通信システムは、E-UTRAN（evolved  UMTS  Terrestrial  Radio  Access  Network）を有する、請求項１に記載の方法。
【請求項２６】
ユーザ装置とネットワーク装置との間で無線通信システムの共有物理リソースで無線接続及びその後の通信を開始する際に使用されるユーザ装置であって、
メモリと、
前記メモリに結合されたプロセッサと、
前記プロセッサで実行可能なプログラムコードと
を有し、
前記プログラムコードは、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するように動作可能であるユーザ装置。
【請求項２７】
ユーザ装置とネットワーク装置との間で無線通信システムの共有物理リソースで無線接続及びその後の通信を開始する際に使用されるネットワーク装置であって、
メモリと、
前記メモリに結合されたプロセッサと、
前記プロセッサで実行可能なプログラムコードと
を有し、
前記プログラムコードは、
前記ユーザ装置により導かれた一時識別子を受信し、前記ユーザ装置の自分のシグナリングアドレスが前記一時識別子として使用され、
前記ユーザ装置にスケジューリングされたリソースを割り当て、前記スケジューリングされたリソースは、共有チャネルのリソースを有し、
前記一時識別子と前記スケジューリングされたリソースの記述とを伝達する下りリンクメッセージを送信し、
前記下りリンクメッセージに応じて前記スケジューリングされたリソースでデータを通信するように動作可能であるネットワーク装置。
【請求項２８】
前記プログラムコードは、前記ユーザ装置に複数の一時識別子の指示を送信するように更に動作可能である、請求項２７に記載のネットワーク装置。
【請求項２９】
前記ユーザ装置から前記一時識別子を受信することは、前記一時識別子と前記スケジューリングされたリソースの要求とを有する第１の上りリンクメッセージ内で前記一時識別子を受信することを有する、請求項２７に記載のネットワーク装置。
【請求項３０】
前記一時識別子を受信することは、第１の上りリンクメッセージを受信することを有し、
前記下りリンクメッセージを送信することは、第１の下りリンクメッセージを送信することを有し、
前記スケジューリングされたリソースで前記データを通信することは、第２の上りリンクメッセージで接続要求を送信することを有する、請求項２７に記載のネットワーク装置。
【請求項３１】
前記プログラムコードは、
スケジューリングされた下りリンクリソースを前記ユーザ装置に割り当て、前記スケジューリングされた下りリンクリソースは共有チャネルのリソースを有し、
前記第２の上りリンクメッセージに応じて送信された第２の下りリンクメッセージを送信し、前記第２の下りリンクメッセージは、前記一時識別子と前記スケジューリングされた下りリンクの記述とを伝達し、
前記スケジューリングされた下りリンクリソースで第３の下りリンクメッセージを送信し、前記第３の下りリンクメッセージは、接続設定メッセージを有するように更に動作可能である、請求項２７に記載のネットワーク装置。
【請求項３２】
前記プログラムコードは、
複数の識別子から置換識別子を割り当て、
前記ユーザ装置に前記置換識別子を送信するように更に動作可能である、請求項２７に記載のネットワーク装置。
【請求項３３】
前記プログラムコードは、
ネットワークに既知のUE識別子をメッセージに組み込み、
前記メッセージを前記ユーザ装置に送信するように更に動作可能である、請求項２７に記載のネットワーク装置。
【請求項３４】
ユーザ装置とネットワーク装置との間で無線通信システムの共有物理リソースで無線接続及びその後の通信を開始するプログラムコードを有するコンピュータプログラムプロダクトであって、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するプログラムコードを有するコンピュータプログラムプロダクト。
【請求項３５】
共有物理リソースで無線接続及びその後の通信を開始する無線ネットワークシステムであって、
１つ以上のユーザ装置とネットワーク装置とを有し、
各ユーザ装置は、
ユーザ装置メモリと、
前記ユーザ装置メモリに結合されたユーザ装置プロセッサと、
前記ユーザ装置プロセッサで実行可能なユーザ装置プログラムコードと
を有し、
前記ユーザ装置プログラムコードは、
一時識別子として前記ユーザ装置の自分のシグナリングアドレスを導き、
前記一時識別子を前記ネットワーク装置に送信し、
前記一時識別子と共有チャネルでのスケジューリングされたリソースの記述とを伝達する下りリンクメッセージを受信し、前記スケジューリングされたリソースは、前記ネットワーク装置により前記ユーザ装置に割り当てられたリソースを有し、
前記下りリンクメッセージに応じて前記スケジューリングされたリソースでデータを通信するように動作可能であり、
前記ネットワーク装置は、
ネットワーク装置メモリと、
前記ネットワーク装置メモリに結合されたネットワーク装置プロセッサと、
前記ネットワーク装置プロセッサで実行可能なネットワーク装置プログラムコードと
を有し、
前記ネットワーク装置プログラムコードは、
前記ユーザ装置により導かれた一時識別子を受信し、
前記ユーザ装置にスケジューリングされたリソースを割り当て、前記スケジューリングされたリソースは、共有チャネルのリソースを有し、
前記一時識別子と前記スケジューリングされたリソースの記述とを伝達する前記下りリンクメッセージを送信し、
前記下りリンクメッセージに応じて前記スケジューリングされたリソースでデータを通信するように動作可能である無線ネットワークシステム。
【国際調査報告】
2009522889.tif 000019
2009522889.tif 000020
2009522889.tif 000021